(57)【要約】【課題】コストを低下させつつ、明瞭度を高められ、どのような環境であっても実施可能とする。【解決手段】一部が重複する複数の放送領域のうち、対応するものにスピーカ６Ｕ、６Ｄが放音する。同じ音質で異なる内容の複数の音声信号を、スピーカ６Ｕ、６Ｄのうち対応するものに個別に音源１４が供給する。各スピーカ６Ｕ、６Ｄと音源１４との間にイコライザ１２Ｕ、１２Ｄが設けられている。これらイコライザ１２Ｕ、１２Ｄは異なる周波数特性に設定されている。【選択図】        図１
2004222103.tif 000002
【特許請求の範囲】
【請求項１】
近接する複数の放送領域のうち、対応するものに放音する複数のスピーカと、
同じ音質で異なる内容の複数の可聴周波数信号を、前記各スピーカのうち対応するものに個別に供給する音源と、
前記各スピーカと前記音源との間に設けられ、異なる周波数特性に設定された複数の周波数特性調整手段とを、
具備する放送装置。
【請求項２】
請求項１記載の放送装置において、前記各周波数特性調整手段は、前記各スピーカ用の電力増幅器の前段に設けられている放送装置。
【請求項３】
請求項１記載の放送装置において、前記各周波数特性調整手段は、前記各スピーカに付属している放送装置。
【発明の詳細な説明】
【０００１】
【発明の属する技術分野】
本発明は、放送装置に関し、特に複数の放送領域にそれぞれ異なる内容を放送するものであって、これら放送領域が隣接しているものに関する。
【０００２】
【従来の技術】
例えば近接する複数の放送領域に別の内容の放送を行うことがある。これら放送領域に重複する部分があると、この重複する部分では、両放送が混合され、少なくとも一方の放送は明瞭に聞き取れないことがある。
【０００３】
この点を改善するために、従来、例えば一方の放送領域用の音源と、他方の放送領域用の音源との音質に差を設けることが考えられる。例えば、一方の放送領域用には男性の声により放送を行い、他方の放送領域には女性の声により放送を行う。男性と女性の声では、周波数成分が異なるので、重複する領域において一方の音声が他方の音声によってかき消されることがない。
【０００４】
或いは、狭指向性のスピーカによって放送することによって、重複する放送領域を最小限度に絞ることも考えられる。
【０００５】
或いは、各放送領域への放送用のスピーカを多数の小音量のスピーカとして、不要な部分への放送音の漏れを少なくすることも考えられる。
【０００６】
【発明が解決しようとする課題】
しかし、音源に音質差を設ける技術では、男性の声による音源と、女性の声による音源とを、別個に用意しなければならない。そのため、音源作成時に、男性と女性の声優を手配しなければならず、更に、両者の録音作業やそれぞれに対しての録音再生媒体を用意しなければならない。そのため、初期コストや、メンテナンスコストが高騰する。
【０００７】
狭指向性のスピーカを使用する技術では、狭指向性のスピーカが高価であり、放送装置も高価となる。さらに、狭指向性のスピーカは、サイズが大きく、しかもその取付方向が複雑であり、取付位置も制限される。
【０００８】
小音量の多数のスピーカを設ける技術では、多くのスピーカを設置することが可能な環境でなければ使用することができない。例えば、通常の室内のように天井にスピーカを埋め込むことができる状況であれば、問題はないが、天井がないためにスピーカを設置する場所が無い場合や、スピーカの設置によって美観が損なわれる等の不都合がある場合には、この技術は適さない。特に、天井が高い場合には、スピーカを埋め込んだとしても、小音量で出力するため、充分な音圧を得ることができない。
【０００９】
本発明は、初期コストやメンテナンスコストを低下させることができ、且つ充分に明瞭度を高められ、どのような環境であっても実施可能な放送装置を提供することを目的とする。
【００１０】
【課題を解決するための手段】
本発明による放送装置は、複数のスピーカを有している。これら複数のスピーカは、対応する放送領域に放音するものであるが、これら放送領域は、隣接している。各スピーカに可聴周波数信号が音源から供給される。可聴周波数信号としては、音声信号またはブザーやチャイムのような鳴音とすることもできる。これら可聴周波数信号は、同じ音質であるが、放送する領域ごとに異なるものである。音源は、同時に各スピーカにそれぞれ可聴周波数信号を供給可能なものとすることが望ましい。各スピーカと音源との間にそれぞれ周波数特性調整手段が設けられている。周波数特性調整手段は、異なる周波数特性に設定されている。例えば、２つのスピーカが設けられ、これらにそれぞれ周波数特性調整手段が設けられている場合、一方の周波数特性調整手段が高音域を出力するように設定していると、他方の周波数特性調整手段は、低音域を出力するように設定される。例えば３つのスピーカが設けられ、これらにそれぞれ周波数特性調整手段が設けられている場合、一つの周波数特性調整手段は、高音域を出力するように、他の一つは低音域を出力するように、残りの一つは中音域を出力するように設定される。各周波数特性調整手段は、各スピーカに増幅された可聴周波数信号を供給する電力増幅器が設けられている場合、それの前段に設けることができる。或いは、各周波数特性調整手段は、各スピーカに付属して設けることもできる。この場合、電力増幅器が設けられていると、各電力増幅器と各スピーカとの間に、各周波数特性調整手段が設けられる。
【００１１】
このように構成された放送装置では、同じ音質であって、異なる内容の可聴周波数信号は、周波数特性調整手段によってそれぞれ異なる周波数特性に調整された後、対応するスピーカから拡声される。従って、各スピーカの放送領域の隣接部分に、それぞれスピーカから可聴周波数の音が同時に放出されても、これらの周波数特性は異なっている。従って、この隣接した部分に居る人は、これらの音を明瞭に聞き分けることができる。
【００１２】
【発明の実施の形態】
本発明の第１の実施の形態の放送装置は、例えば図３に示すような駅の構内放送に使用されるものである。駅のプラットホーム２の長手縁の一方が上り側２Ｕであり、他方が下り側２Ｄである。プラットホーム２の中央には、支柱４が設けられている。この支柱４には、２つのスピーカ６Ｕと６Ｄとが設けられている。スピーカ６Ｕは、上り側２Ｕに放音するためのものである。スピーカ６Ｄは、下り側６Ｄに放音するためのものである。スピーカ６Ｕは、符合８Ｕで示すような放送領域に放音する指向性を有している。スピーカ６Ｄは、符合８Ｄで示すような放送領域に放音する指向性を有している。これら放送領域８Ｕ、８Ｄは、プラットホーム２の中央において隣接し、一部が重なっている。従って、同じ音質の音を放送領域６Ｕ、６Ｄに同時に同音量で放音すると、放送領域８Ｕ、８Ｄの重複領域に存在する人は、両音が重なり、その内容を把握することができない。また、一方の音量が他方よりも大きいと、音量の大きい音のみが聴取される。
【００１３】
そこで、図１に示すように、スピーカ６Ｕ、６Ｄに可聴周波数信号、例えば音声信号を供給する増幅器１０Ｕ、１０Ｄには、周波数特性調整手段、例えばイコライザ１２Ｕ、１２Ｄが設けられている。増幅器１０Ｕには、音源１４から、上り放送用の可聴周波数信号、例えば上り放送用音声信号が供給され、増幅器１０Ｄには、音源１４から下り放送用の可聴周波数信号、例えば下り放送用音声信号が供給されている。音源１４は、上り側放送系統に属する増幅器１０Ｕと、下り放送系統に属する増幅器１０Ｄとに、上り放送用音声信号と下り放送用音声信号とを同時にかつ別々に出力する二元出力が可能なものである。これら上り及び下り放送用の可聴周波数信号は、同じ音質を持つもので、例えば上り及び下り放送用に一人の声優が予め記録媒体に録音したものである。
【００１４】
増幅器１０Ｕ、１０Ｄでは、入力された上り及び下り放送用音声信号を、前段増幅器１６Ｕ、１６Ｄで増幅した後に、電力増幅器１８Ｕ、１８Ｄで増幅し、スピーカ６Ｕ、６Ｄに供給する。この電力増幅器１８Ｕと前段増幅器１６Ｕとの間に、イコライザ１２Ｕが設けられ、同様に電力増幅器１８Ｄと前段増幅器１６Ｄとの間に、イコライザ１２Ｄが設けられている。
【００１５】
イコライザ１２Ｕ、１２Ｄの周波数特性は、異なったものに設定されている。例えば、図２に符合Ｕで示すように、イコライザ１２Ｕの周波数特性は、スピーカ６Ｕ、６Ｄ及び電力増幅器１８Ｕ、１８Ｄによって再生可能な周波数帯域を高音域と低音域とに分割した場合における高音域がカットされたもので、上り放送用音声信号の低音域成分が、電力増幅器１８Ｕにイコライザ１２Ｕから出力される。また符合Ｄで示すように、イコライザ１２Ｄの周波数特性は、低音域がカットされたもので、下り放送用音声信号の高音域がカットされたもので、下り放送用に音声信号の高音域成分が、電力増幅器１８Ｄにイコライザ１２Ｄから出力される。
【００１６】
音源１４から同じ音質を持つ上り及び下り放送用音声信号が増幅器１０Ｕ、１０Ｄに同時に供給されても、スピーカ６Ｕ、６Ｄから放音される上り及び下り放送用音声信号の音質は、イコライザ１２Ｕ、１２Ｄの存在によって、異なったものとなっている。従って、両スピーカ６Ｕ、６Ｄから放音を受ける放送領域８Ｕ、８Ｄの重複部分に存在する人は、同時に両スピーカ６Ｕ、６Ｄから放送が行われても、両方の音を明瞭に聞き分けることができる。しかも、使用しているスピーカは、それぞれの放送領域８Ｕ、８Ｄに対応したものが１台ずつである。従って、構成が簡易である上に、どのような環境でも容易に設置することができる。しかも、音源１４からの上り及び下り放送用の音声信号には、同じ音質のものを使用することができるので、録音再生媒体の作成が容易であり、初期コストやメンテナンスコストを低減させることができる。
【００１７】
第１の実施の形態の放送装置では、音源１４から上り放送用音声信号は、常に増幅器１０Ｕに供給され、下り放送用音声信号は常に増幅器１０Ｄに供給される構成であった。従って、イコライザ１２Ｕ、１２Ｄは、増幅器１０Ｕ、１０Ｄに設けることができた。例えば同時に同じ内容の音声信号を各スピーカ６Ｕ、６Ｄに供給する必要がある場合や、上り及び下りに共通に使用される内容の音声信号がある場合、図４に示すように、音源１４ａから増幅器１０ａ、１０ｂの一方の増幅器、例えば増幅器１０ａに可聴周波数信号が供給され、ここで増幅された後、選択手段、例えばマトリックス回路２０によって選択されたスピーカ６Ｕまたは６Ｄまたは双方に供給される。符合２２で示すのは、マトリックス回路２０の制御回路である。このようなマトリックス回路２０を用いたものでは、増幅器１０ａ及び１０ｂの出力信号が供給されるスピーカは、一定ではない。そこで、第２の実施の形態では、図４に示すように、各スピーカ６Ｕ、６Ｄの入力側にイコライザ１２Ｕ、１２Ｄを設けている。無論、イコライザ１２Ｕ、１２Ｄの周波数特性は、第１の実施の形態と同様に、異なったものとされている。これによって、放送領域８Ｕ、８Ｄに放送される音声の周波数特性が異なり、放送領域８Ｕ、８Ｄの重複部分でも、明瞭に両音声をそれぞれ聞き分けることができる。
【００１８】
上記の各実施の形態では、本発明の放送装置を駅のプラットホームでの放送装置に実施したが、これに限ったものではなく、放送領域が隣接し、例えば一部で重複するような場所であれば、種々の場所に設置可能である。また、上記の実施の形態では、スピーカ６Ｕ、６Ｄ、増幅器１８Ｕ、１８Ｄで再生可能な周波数帯域を低音域と高音域とに２分割したが、２以上の音域、例えば低音域、中音域及び高音域とに分割し、上り及び下り放送領域８Ｕ、８Ｄのうち一方に、低及び高音域の音声信号を、他方に中音域の音声信号を供給するように、イコライザ１２Ｕ、１２Ｄを調整することもできる。また、上記の実施の形態では、一部が重複する放送領域を２つとしたが、これに限ったものではなく、一部が重複する放送領域が３つ以上あるような場合にも、本発明を実施することができる。この場合、各放送領域用に設定する各イコライザの周波数特性が重複しないように設定する。上記の実施の形態では、上り側を高音カットの周波数特性、下り側を低音カットの周波数特性に設定したが、これに限ったものではなく、逆に設定することも可能である。上記の実施の形態では、可聴周波数信号として音声信号を使用したが、これに限ったものではなく、例えばブザーやチャイム音を使用することもできる。
【００１９】
【発明の効果】
以上のように、本発明の放送装置では、音源として同一音質のものを使用することができるので、初期コストやメンテナンスコストを低下させることができる。さらに、周波数特性調整手段によって同一音質の可聴周波数信号の周波数特性を異ならせて、隣接する放送領域に放送しているので、放送領域の隣接する部分において同時に放送が行われても、それぞれの可聴周波数信号の明瞭度を高められる。また、使用するスピーカの台数を少なくすることができるので、どのような環境であっても容易に実施可能である。
【図面の簡単な説明】
【図１】本発明の第１の実施の形態の放送装置のブロック図である。
【図２】図１の放送装置に使用しているイコライザの周波数特性図である。
【図３】図１の放送装置が実施されているプラットホームの平面図である。
【図４】本発明の第２の実施の形態の放送装置のブロック図である。
【符号の説明】
６Ｕ  ６Ｄ  スピーカ
１２Ｕ  １２Ｄ  イコライザ（周波数特性調整手段）
１４  １４ａ  音源
【図１】
2004222103.tif 000003
【図２】
2004222103.tif 000004
【図３】
2004222103.tif 000005
【図４】
2004222103.tif 000006